(57)【要約】【課題】蛍光特性の強い記録媒体でも、無彩色近傍域における色かぶりを抑制する目標値を設定する。【解決手段】所定の第１プロファイルに規定された色を、蛍光特性を有する所定の記録媒体に再現するための第２プロファイルを生成する情報処理装置であって、紫外線が含まれる光源を用いた測色条件下で前記記録媒体を測色した測色値を前記記録媒体の白色値として取得する用紙白情報取得部と、前記用紙白情報取得部が取得した前記白色値に基づいて、前記白色値とは異なる白基準値を設定する白基準値設定部と、前記第１プロファイルで規定されるＬａｂ均等色空間における色値を第１目標値として取得する第１目標値取得部と、前記白基準値に基づいて、前記Ｌａｂ均等色空間における色値を変換し、変換した色値を第２目標値として取得する第２目標値取得部と、前記第２目標値を、前記Ｌａｂ均等色空間における所定の第１彩度未満の領域に対する目標値として設定する目標値設定部と、を有することを特徴とする。【選択図】図４
2019146167.tif 000002
【特許請求の範囲】
【請求項１】
所定の第１プロファイルに規定された色を、蛍光特性を有する所定の記録媒体に再現するための第２プロファイルを生成する情報処理装置であって、
紫外線が含まれる光源を用いた測色条件下で前記記録媒体を測色した測色値を前記記録媒体の白色値として取得する用紙白情報取得部と、
前記用紙白情報取得部が取得した前記白色値に基づいて、前記白色値とは異なる白基準値を設定する白基準値設定部と、
前記第１プロファイルで規定されるＬａｂ均等色空間における色値を第１目標値として取得する第１目標値取得部と、
前記白基準値に基づいて、前記Ｌａｂ均等色空間における色値を変換し、変換した色値を第２目標値として取得する第２目標値取得部と、
前記第２目標値を、前記Ｌａｂ均等色空間における所定の第１彩度未満の領域に対する目標値として設定する目標値設定部と、
を有することを特徴とする情報処理装置。
【請求項２】
前記目標値設定部は、少なくとも前記Ｌａｂ均等色空間における色値に基づいて、前記Ｌａｂ均等色空間における所定の第２彩度以上の領域に対する目標値として前記第１目標値を設定する、ことを特徴とする請求項１に記載の情報処理装置。
【請求項３】
前記第１目標値と前記第２目標値とに基づいて、前記Ｌａｂ均等色空間における前記第１彩度以上かつ前記第２彩度未満の領域に対する第３目標値を補間する補完部をさらに有することを特徴とする請求項２に記載の情報処理装置。
【請求項４】
前記補完部は、
前記第１目標値と前記第２目標値とに基づいて、前記Ｌａｂ均等色空間における前記第１彩度以上かつ前記第２彩度未満の領域に対する前記第３目標値を、線形補間又は対数関数補間により補間することを特徴とする請求項３に記載の情報処理装置。
【請求項５】
前記目標値設定部は、前記第１目標値と前記第２目標値と前記第３目標値とを前記第２プロファイルを生成するための目標値に設定する、ことを特徴とする請求項３又は４に記載の情報処理装置。
【請求項６】
前記第１目標値取得部は、前記第１目標値として、前記Ｌａｂ均等色空間における色値と該Ｌａｂ均等色空間における色値とを変換した値とを結ぶ線分上の値を取得する、ことを特徴とする請求項２乃至５の何れか一項に記載の情報処理装置。
【請求項７】
前記第２彩度は、前記第１プロファイルに規定されたグレー近傍域の境界を表す彩度である、ことを特徴とする請求項２乃至６の何れか一項に記載の情報処理装置。
【請求項８】
前記白基準値設定部は、
前記Ｌａｂ均等色空間のａｂ座標平面における原点又は前記第１プロファイルが規定する紙色を前記Ｌａｂ均等色空間内の座標値に変換した色値のいずれか一方と、前記記録媒体の紙白値とを結ぶ線分の延長線上の座標、もしくは前記延長線からの色相差が閾値未満に属する座標を前記白基準値として取得する、ことを特徴とする請求項１乃至７の何れか一項に記載の情報処理装置。
【請求項９】
前記白基準値設定部は、
紫外線が含まれる第１光源を用いた測色条件下で前記記録媒体を測色した第１測色値と、紫外線が含まれない第２光源を用いた測色条件下で前記記録媒体を測色した第２測色値との差に基づいて、前記白基準値を取得する、ことを特徴とする請求項１乃至８の何れか一項に記載の情報処理装置。
【請求項１０】
前記白基準値設定部は、
複数の前記白基準値を取得し、取得した複数の前記白基準値それぞれに基づく前記目標値を前記記録媒体に再現した結果を用いて、該結果の中から選択された結果に対応する白基準を取得する、ことを特徴とする請求項１乃至９の何れか一項に記載の情報処理装置。
【請求項１１】
請求項１乃至１０の何れか一項に記載の情報処理装置と、画像出力装置とを備えるカラープロファイル生成システムであって、
前記画像出力装置は、前記情報処理装置が生成した前記第２プロファイルに基づいて、画像出力を実行することを特徴とするカラープロファイル生成システム。
【請求項１２】
所定の第１プロファイルに規定された色を、蛍光特性を有する所定の記録媒体に再現するための第２プロファイルを生成する情報処理装置が、
紫外線が含まれる光源を用いた測色条件下で前記記録媒体を測色した測色値を前記記録媒体の白色値として取得する用紙白情報取得手順と、
前記用紙白情報取得手順で取得した前記白色値に基づいて、前記白色値とは異なる白基準値を設定する白基準値設定手順と、
前記第１プロファイルで規定されるＬａｂ均等色空間における色値を第１目標値として取得する第１目標値取得手順と、
前記白基準値に基づいて、前記Ｌａｂ均等色空間における色値を変換し、変換した色値を第２目標値として取得する第２目標値取得手順と、
前記第２目標値を、前記Ｌａｂ均等色空間における所定の第１彩度未満の領域に対する目標値として設定する目標値設定手順と、
を実行することを特徴とする情報処理方法。
【請求項１３】
所定の第１プロファイルに規定された色を、蛍光特性を有する所定の記録媒体に再現するための第２プロファイルを生成する情報処理装置に、
紫外線が含まれる光源を用いた測色条件下で前記記録媒体を測色した測色値を前記記録媒体の白色値として取得する用紙白情報取得手順と、
前記用紙白情報取得手順で取得した前記白色値に基づいて、前記白色値とは異なる白基準値を設定する白基準値設定手順と、
前記第１プロファイルで規定されるＬａｂ均等色空間における色値を第１目標値として取得する第１目標値取得手順と、
前記白基準値に基づいて、前記Ｌａｂ均等色空間における色値を変換し、変換した色値を第２目標値として取得する第２目標値取得手順と、
前記第２目標値を、前記Ｌａｂ均等色空間における所定の第１彩度未満の領域に対する目標値として設定する目標値設定手順と、
を実行させることを特徴とするプログラム。
【発明の詳細な説明】
【技術分野】
【０００１】
本発明は、情報処理装置、カラープロファイル生成システム、情報処理方法及びプログラムに関する。
【背景技術】
【０００２】
商用印刷等に用いられる印刷機は、例えば、Ｊａｐａｎ  ＣｏｌｏｒやＦｏｇｒａ、ＧＲＡＣｏＬ等の業界標準規格の認証を取得することが求められる。このため、これらの規格を満たすように、カラーマネジメントシステム（ＣＭＳ：Color Management System）で用いられるプロファイルを設計及び生成する必要がある。プロファイルの設計は、例えば、所定の規格が規定するターゲットに対して目標値を設定し、その目標値を所定の用紙に出力した結果を測色及び評価することで行われる。
【０００３】
他方で、異なる色特性の装置間の色合わせ（カラーマッチング）において、低彩度色域では出力装置固有の紙白を基準とする色変換を行い、低彩度以外の色域では入力装置の色再現域を採用する技術が知られている（例えば、特許文献１参照）。
【発明の概要】
【発明が解決しようとする課題】
【０００４】
ところで、近年の新しい標準規格では、測色光源として、紫外線が含まれるＭ１で用いることが規定されている。
【０００５】
しかしながら、測色光源がＭ１であるため、蛍光増白剤を多く含む用紙（ＯＢＡ（optical Brightening Agent）紙）を用いて測色を行う場合、主観で感じる色よりも青い色として測色されることがある。このため、無彩色近傍域にて黄色く色かぶりが発生する場合があった。
【０００６】
本発明の一実施形態では、上記の点に鑑みてなされたもので、蛍光特性の強い記録媒体でも、無彩色近傍域における色かぶりを抑制する目標値を設定することを目的とする。
【課題を解決するための手段】
【０００７】
上記目的を達成するため、本発明の一実施形態は、所定の第１プロファイルに規定された色を、蛍光特性を有する所定の記録媒体に再現するための第２プロファイルを生成する情報処理装置であって、紫外線が含まれる光源を用いた測色条件下で前記記録媒体を測色した測色値を前記記録媒体の白色値として取得する用紙白情報取得部と、前記用紙白情報取得部が取得した前記白色値に基づいて、前記白色値とは異なる白基準値を設定する白基準値設定部と、前記第１プロファイルで規定されるＬａｂ均等色空間における色値を第１目標値として取得する第１目標値取得部と、前記白基準値に基づいて、前記Ｌａｂ均等色空間における色値を変換し、変換した色値を第２目標値として取得する第２目標値取得部と、前記第２目標値を、前記Ｌａｂ均等色空間における所定の第１彩度未満の領域に対する目標値として設定する目標値設定部と、を有することを特徴とする。
【発明の効果】
【０００８】
蛍光特性の強い記録媒体でも、無彩色近傍域における色かぶりを抑制する目標値を設定することができる。
【図面の簡単な説明】
【０００９】
【図１】蛍光増白剤の含有量が異なる用紙の測色結果の一例を説明するための図である。
【図２】過補正により黄色く色かぶりが発生する場合の一例を説明するための図である。
【図３】カラーマネジメントシステムの一例を説明するための図である。
【図４】目標値設定の概要を説明するための図である。
【図５】第一の実施形態に係るプロファイル生成システムの全体構成の一例を示す図である。
【図６】第一の実施形態に係るプロファイル生成装置のハードウェア構成の一例を示す図である。
【図７】第一の実施形態に係るプロファイル生成装置の機能構成の一例を示す図である。
【図８】第一の実施形態に係るプロファイルの生成処理の一例を示すフローチャートである。
【図９】第一の実施形態に係る目標値の設定処理の一例を示すフローチャートである。
【図１０】白基準値の設定方法の一例を説明するための図（その１）である。
【図１１】白基準値の設定方法の一例を説明するための図（その２）である。
【図１２】線形補間による目標値の補間の一例を説明するための図である。
【図１３】第一の実施形態に係る最終的な目標値の設定処理の一例を示すフローチャートである。
【図１４】線形補間の比率の一例を示す図である。
【図１５】第１目標値、第２目標値、及び最終的な目標値の一例を示す図である。
【図１６】第二の実施形態に係る目標値の設定処理の一例を示すフローチャートである。
【図１７】第二の実施形態に係る最終的な目標値の設定処理の一例を示すフローチャートである。
【図１８】有彩色域における最終目標値を第１目標値と第２目標値とから算出する場合の一例を説明するための図である。
【図１９】対数関数補間の比率の一例を示す図である。
【図２０】対数関数補間による目標値の補間の一例を説明するための図である。
【発明を実施するための形態】
【００１０】
以降では、本発明の第一の実施形態及び第二の実施形態について説明する。まず、第一の実施形態及び第二の実施形態の説明の前に、前提となる各種の用語や技術等について説明する。
【００１１】
＜前提＞
異なる画像出力装置間のカラーマッチングを行う場合、通常、ＸＹＺ三刺激値等の色値でマッチングを行う。一般に、測色器を用いて得られる色値は、Ｄ５０の基準照明下における完全拡散板を測定した際の色値（Ｘ，Ｙ，Ｚ）＝（９６．４２，１００．０，８２．４９）を白とし、この白に対する相対的な値として算出される。今日のカラーマネジメントシステムにおけるデファクトスタンダードであるＩＣＣ（International Color Consortium）プロファイルのフォーマットでは、完全拡散板の白に対する相対的な色値を「絶対的」、画像出力装置の白に対して相対的な値を「相対的」であると定義している。以降の各実施形態では、ＩＣＣに従い、測色器を用いて得られた完全拡散板の白に対する相対的な色値を「絶対的色値」、画像出力装置の白に対して相対的な色値を「相対的色値」と呼ぶ。
【００１２】
また、絶対的色値を用いて、或る画像出力装置の色を他の画像出力装置の色へ変換するカラーマッチングを行うと、当該或る画像出力装置（再現元の画像出力装置）の白の色味が当該他の画像出力装置（再現先の画像出力装置）で再現される。すなわち、再現元の画像出力装置の白の絶対的色値が再現先の画像出力装置の色域内に存在する場合、再現先画像出力装置の白に対して何等かの色を加えて再現元の画像出力装置の白が再現される。以降の各実施形態では、絶対的色値を用いた色変換を「絶対色変換」と呼ぶ。
【００１３】
ＩＣＣプロファイルでは、絶対的色値を相対的色値に変換して使用する。この相対的色値を使用することで、異なる画像出力装置の白は同じ色値を持つことになる。相対的色値を用いて、再現元の画像出力装置の色を再現先の画像出力装置の色へ変換するカラーマッチングを行う場合、再現元の画像出力装置の白は、再現先の画像出力装置の白として再現される。以降の各実施形態では、相対的色値を用いた色変換を「相対色変換」と呼ぶ。
【００１４】
ここで、上述したように、例えばＪａｐａｎ  ＣｏｌｏｒやＦｏｇｒａ、ＧＲＡＣｏＬ等の業界標準規格の認証を取得するためには、これらの規格が規定するターゲットに対して目標値を設定し、その目標値を所定の記録媒体（用紙）に出力した結果を測色及び評価することで行われる。言い換えれば、これらの規格が規定するターゲットを再現元として、再現先の画像出力装置で色が再現されるようにプロファイルが設計される。このプロファイルは、プリンタプロファイルとも称される。なお、ターゲットは、これらの規格を制定した団体等により配布されたプロファイルに設定されている。
【００１５】
そこで、以降の各実施形態では、一例として、Ｆｏｇｒａ５１の規格が設定されたプロファイルをソースプロファイル、設計対象のプロファイルをアウトプットプロファイルとする。また、アウトプットプロファイルの設計に用いられる用紙（設計用紙）は蛍光特性を有する用紙（すなわち、蛍光増白剤を多く含む用紙）であり、設計に用いられる画像出力装置は任意の色特性を有する任意の装置である。したがって、以降の各実施形態において、ターゲットとはＦｏｇｒａ５１の規格が設定されたソースプロファイルが規定する絶対的色値、目標値とは設計用紙における出力結果（設計に用いられる画像出力装置の出力結果）が再現すべき絶対的色値とする。また、カラーマッチングのマッチング結果とは当該目標値の再現を試みた補正結果、白色点とは設計に用いられる画像出力装置の白の絶対的色値（白色値）とする。
【００１６】
ただし、ソースプロファイルは、Ｆｏｇｒａ５１の規格が設定されたものに限られず、紫外線を含む光源による測色を規定している規格であれば任意の規格が設定されたプロファイルを用いることができる。
【００１７】
＜蛍光増白剤の含有量が異なる用紙の測色結果＞
また、上述したように、蛍光特性を有する用紙（ＯＢＡ紙）を測色器で測色した場合、主観で感じる色よりも青い色として測色される場合がある。そこで、蛍光増白剤をほとんど含まない用紙Ａと、蛍光増白剤を多く含む用紙Ｂとを２つの異なる光源（Ｍ０及びＭ１）下で測色器により測色した場合の測色結果をＬａｂ均等色空間のａｂ座表面にプロットした結果を図１に示す。なお、Ｍ０は紫外線をほとんど含まない光源であり、Ｍ１は紫外線を含む光源である。
【００１８】
図１に示すように、Ｍ０光源下で測色した結果は用紙Ａと用紙Ｂとでほぼ一致している一方で、Ｍ１光源下で測色した結果は用紙Ｂの方が用紙Ａよりも青よりの色値となっている。他方で、蛍光増白剤は、紫外線を吸収して、目に見える青白い光（蛍光）に変えるため、見た目の白さが増す効果がある。これらにより、蛍光特性を有する用紙は、主観で感じる色よりも青い色として測色される場合がある。このため、従来技術では、無彩色近傍域にて黄色く色かぶりが発生する場合があった。
【００１９】
＜黄色く色かぶりが発生する理由＞
無彩色近傍域にて黄色く色かぶりが発生する理由について、一例として、シアンのカラーマッチングを行う場合について、図２を参照しながら説明する。図２は、過補正により黄色く色かぶりが発生する場合の一例を説明するための図である。
【００２０】
設計用紙上の再現色を点Ａ、対応してＦｏｇｒａ５１で規定される色を点Ｆとする。また、この点Ａの主観的な再現色を点Ｂとする。点Ａ、点Ｆ及び点Ｂにおいて、ａｂ平面におけるａ＊座標値が最も大きい点が白色点である。一方で、ａ＊座標値が小さくなるにつれ再現色はシアン１００％色に近付く。このとき、従来技術では、点Ａの白色点を基準に軌跡Ａのように目標値を設定した。すなわち、無彩色近傍では相対色変換後の色値である軌跡Ａを目標値に設定し、有彩色付近では点Ｆ（ターゲット）を目標値に設定していた。なお、或る１つの色（例えば、１つのＣＭＹＫ値を示すＣＭＹＫデータ）が与えられた場合、この色に対応する点Ａと、点Ｂと、点Ｆとが１つずつ決まる。
【００２１】
しかしながら、蛍光特性を有する用紙のように見た目と色値（Ｍ１光源下での測色値）とに乖離がある場合、あたかも主観的な点Ｂの白色点を基準とした相対色変換になり、マッチング結果の見た目は軌跡Ｂになる。すなわち、例えば、ベタ付近ではインクが載るためターゲットに近い再現色となる一方で、紙地が露出するハイライトから中間の色域ではターゲットに対して過補正となる。これにより、紙地が露出するハイライトから中間の色域（無彩色近傍域）では、黄色く色かぶりが発生する。
【００２２】
＜カラーマネジメントシステム＞
ここで、本発明の各実施形態は、蛍光特性の強い用紙でも無彩色近傍域で上述した色かぶりが発生しないマッチング結果が得られるにように目標値を設定し、このマッチング結果を実現するアウトプットプロファイルを生成する場合について説明するものである。そこで、アウトプットプロファイルの設計に用いられるカラーマネジメントシステムの概略について、図３を参照しながら説明する。図３は、カラーマネジメントシステムの一例を説明するための図である。
【００２３】
図３に示すように、再現元の色データであるＣＭＹＫデータは、ソースプロファイルにより、相対的色値であるＬａｂデータに変換される。例えば、ソースプロファイルがＦｏｇｒａ５１の規格が設定されたものである場合、ＣＭＹＫデータは、Ｆｏｇｒａ５１の白色点に対して相対色変換される。なお、ソースプロファイルは、例えば、ＣＭＹＫデータに対してＬａｂデータが対応付けられたルックアップテーブル（第１のＬＵＴ）である。ＣＭＹＫデータからＬａｂデータへは、当該第１のＬＵＴを用いた公知の補間方法によって変換可能である。なお、ＣＭＹＫデータは、例えば、ＸＹＺ表色系で表されたＸＹＺデータに変換されても良い。
【００２４】
また、図３に示すように、変換対象の色データであるＬ´ａ´ｂ´データは、アウトプットプロファイルにより、再現先の色データであるＣ´Ｍ´Ｙ´Ｋ´データに変換される。なお、アウトプットプロファイルは、例えば、Ｃ´Ｍ´Ｙ´Ｋ´データに対してＬ´ａ´ｂ´データが対応付けられたルックアップテーブル（第２のＬＵＴ）である。Ｃ´Ｍ´Ｙ´Ｋ´データからＬａｂデータへは、当該第２のＬＵＴを用いた公知の補間方法によって変換可能である。
【００２５】
ここで、ソースプロファイルによる変換とアウトプットプロファイルによる変換とは、ＩＣＣの定義に従い相対色変換となるため、ソースプロファイルにより変換されたＬａｂデータは、そのままアウトプットプロファイルによる変換対象Ｌ´ａ´ｂ´データとなる。
【００２６】
なお、ＣＭＹＫデータ及びＣ´Ｍ´Ｙ´Ｋ´データは、各チャネルが離散的な値を取るデータである。
【００２７】
［第一の実施形態］
以降では、本発明の第一の実施形態について説明する。本実施形態では、蛍光特性の強い用紙でも無彩色近傍域で色かぶりが発生しないマッチング結果が得られるように目標値に設定し、このマッチング結果を実現するアウトプットプロファイルを生成するプロファイル生成システム１について説明する。
【００２８】
＜目標値設定の概要＞
まず、本実施形態に係る目標値設定の概要について、図４を参照しながら説明する。図４は、目標値設定の概要を説明するための図である。
【００２９】
図４はａｂ座標面を表しており、点Ａは設計用紙上の再現色、点Ｂは主観的な再現色、点Ｆはターゲット（すなわち、Ｆｏｇｒａ５１で規定される色）であり、点Ａ、点Ｆ及び点Ｂにおいて、ａｂ座標面におけるａ＊座標値が最も大きい点が白色点である。
【００３０】
このとき、本実施形態では、点Ｂの白色点と点Ａの白色点との延長線上に新たな白基準点Ｃを設定する。この白基準点Ｃは、点Ａの白色点に対して点Ｂの白色点とほぼ対峙する座標（例えば、点Ａの白色点に関して点Ｂの白色点と点対象となる座標又は当該座標の近傍にある座標）に設定する。
【００３１】
次に、最終的な目標値を設定する前処理として、２つ目標値（第１目標値及び第２目標値）を設定する。有彩色域では、ターゲット（点Ｆ）をそのまま第１目標値とする。一方で、無彩色近傍域では、ターゲット（点Ｆ）を白基準の色値を用いて白色変換した値を第２目標値とする。
【００３２】
そして、有彩色域と無彩色近傍域との中間域では、第１目標値と第２目標値とを用いて補間を行い、無彩色近傍域から有彩色域になるに従って第１目標値から第２目標値に移行するように最終的な目標値（以降、「最終目標値」とも表す。）を設定する。これの最終的な目標値が、蛍光特性の強い用紙でも無彩色近傍域で色かぶりが発生しないマッチング結果が得られる目標値である。
【００３３】
＜第１目標値及び第２目標値＞
ここで、第１目標値及び第２目標値を得る方法について説明する。なお、第２目標値を得るための色変換はＸＹＺ表色系で行う。Ｌａｂ表色系とＸＹＺ表色系との間の色変換は公知技術を用いれば良い。
【００３４】
まず、ターゲットは、ソースプロファイルで規定されるＸＹＺ三刺激値を、Ｄ５０の基準照明下における完全拡散板を測定した際の色値（以降、「Ｄ５０白」とも表す。）で除算した絶対的色値である。すなわち、ターゲット値（ＸＴ，ＹＴ，ＺＴ）は、Ｄ５０白のＸＹＺ三刺激値を（ＸＤ５０Ｗ，ＹＤ５０Ｗ，ＺＤ５０Ｗ）、ソースプロファイルで規定されるＸＹＺ三刺激値を（ＸＳ，ＹＳ，ＺＳ）とした場合、以下の式１で表される。
【００３５】
（ＸＴ，ＹＴ，ＺＴ）＝（ＸＳ／ＸＤ５０Ｗ，ＹＳ／ＹＤ５０Ｗ，ＺＳ／ＺＤ５０Ｗ）
・・・（式１）
第１目標値（ＸＯＵＴ１，ＹＯＵＴ１，ＺＯＵＴ１）は、有彩色域におけるターゲットがそのまま設定されるため、以下の式２で表される。
【００３６】
（ＸＯＵＴ１，ＹＯＵＴ１，ＺＯＵＴ１）＝（ＸＴ，ＹＴ，ＺＴ）
・・・（式２）
第２目標値（ＸＯＵＴ２，ＹＯＵＴ２，ＺＯＵＴ２）は、ソースプロファイルで規定される白色点のＸＹＺ三刺激値を（ＸＳＷ，ＹＳＷ，ＺＳＷ）、白基準（点Ｃ）の三刺激値を（ＸＣ，ＹＣ，ＺＣ）とした場合、以下の式３で表される。
【００３７】
（ＸＯＵＴ２，ＹＯＵＴ２，ＺＯＵＴ２）＝（ＸＴ・ＸＣ／ＸＳＷ，ＹＴ・ＹＣ／ＹＳＷ，ＺＴ・ＺＣ／ＺＳＷ）
・・・（式３）
以上により第１目標値及び第２目標値が得られる。なお、第１目標値と第２目標値とを用いて補間することで最終目標値を得る方法については後述する。
【００３８】
＜プロファイル生成システム１の全体構成＞
次に、本実施形態に係るプロファイル生成システム１の全体構成について、図５を参照しながら説明する。図５は、第一の実施形態に係るプロファイル生成システム１の全体構成の一例を示す図である。
【００３９】
図５に示すように、本実施形態に係るプロファイル生成システム１には、プロファイル生成装置１０と、測色器２０とが含まれる。プロファイル生成装置１０と測色器２０とは、例えば、ＵＳＢ（Universal Serial Bus）やネットワーク等を介して通信可能に接続される。
【００４０】
プロファイル生成装置１０は、例えばＰＣ（パーソナルコンピュータ）等であり、上述した目標値を設定し、設計対象の画像出力装置３０のアウトプットプロファイルを生成する。そして、プロファイル生成装置１０は、生成したアウトプットプロファイルを画像出力装置３０に出力する。なお、アウトプットプロファイルの出力方法は限定されない。アウトプットプロファイルは、例えば、ＵＳＢケーブルやネットワーク等を介して画像出力装置３０に出力されても良いし、記録媒体等を介して画像出力装置３０に出力されても良い。また、出力先は、必ずしも画像出力装置３０でなくても良く、例えば、プロファイル生成装置１０の補助記憶装置や他の装置等であっても良い。
【００４１】
なお、設計対象の画像出力装置３０は、設計用紙に対してカラー画像を出力する任意の装置であり、例えば、カラーコピー機やカラープリンタ、複合機等が挙げられる。
【００４２】
測色器２０は、設計対象の画像出力装置が設計用紙に出力したカラー画像（すなわち、カラー印刷物）を測色して、色値を得る機器である。なお、測色器２０は、Ｆｏｇｒａ５１の規格に従った測色条件の下で測色を行うものとする。
【００４３】
なお、図５に示すプロファイル生成システム１の構成は一例であって、他の構成であっても良い。例えば、プロファイル生成装置１０は、複数台のコンピュータで構成されるシステムであっても良い。
【００４４】
＜プロファイル生成装置１０のハードウェア構成＞
次に、本実施形態に係るプロファイル生成装置１０のハードウェア構成について、図６を参照しながら説明する。図６は、第一の実施形態に係るプロファイル生成装置１０のハードウェア構成の一例を示す図である。
【００４５】
図６に示すように、本実施形態に係るプロファイル生成装置１０は、入力装置１１と、表示装置１２と、外部Ｉ／Ｆ１３と、ＲＡＭ（Random Access Memory）１４とを有する。また、本実施形態に係るプロファイル生成装置１０は、ＲＯＭ（Read Only Memory）１５と、ＣＰＵ（Central Processing Unit）１６と、通信Ｉ／Ｆ１７と、補助記憶装置１８とを有する。これら各ハードウェアは、それぞれがバスＢを介して通信可能に接続されている。
【００４６】
入力装置１１は、例えばキーボードやマウス、タッチパネル等であり、ユーザが各種操作を入力するのに用いられる。表示装置１２は、例えばディスプレイ等であり、プロファイル生成装置１０の処理結果を表示する。なお、プロファイル生成装置１０は、入力装置１１及び表示装置１２のうちの少なくとも一方を有していなくても良い。
【００４７】
外部Ｉ／Ｆ１３は、外部装置とのインタフェースである。外部装置には、記録媒体１３ａ等がある。プロファイル生成装置１０は、外部Ｉ／Ｆ１３を介して、記録媒体１３ａ等の読み取りや書き込み等を行うことができる。
【００４８】
記録媒体１３ａには、例えば、フレキシブルディスク、ＣＤ（Compact Disc）、ＤＶＤ（Digital Versatile Disk）、ＳＤメモリカード（Secure Digital memory card）、ＵＳＢメモリカード等がある。
【００４９】
ＲＡＭ１４は、プログラムやデータを一時保持する揮発性の半導体メモリである。ＲＯＭ１５は、電源を切ってもプログラムやデータを保持することができる不揮発性の半導体メモリである。ＲＯＭ１５には、例えば、ＯＳ（Operating System）設定やネットワーク設定等が格納されている。
【００５０】
ＣＰＵ１６は、ＲＯＭ１５や補助記憶装置１８等からプログラムやデータをＲＡＭ１４上に読み出して処理を実行する演算装置である。
【００５１】
通信Ｉ／Ｆ１７は、プロファイル生成装置１０が他の装置（例えば、測色器２０等）と通信を行うためのインタフェースである。
【００５２】
補助記憶装置１８は、例えばＨＤＤ（Hard Disk Drive）やＳＳＤ（Solid State Drive）等であり、プログラムやデータを格納している不揮発性の記憶装置である。補助記憶装置１８に格納されているプログラムやデータには、例えば、ＯＳ、当該ＯＳ上において各種機能を実現するアプリケーションソフトウェア、プロファイル生成装置１０が有する各機能を実現するプログラム等がある。
【００５３】
本実施形態に係るプロファイル生成装置１０は、図６に示すハードウェア構成を有することにより、後述する各種処理を実現することができる。
【００５４】
＜プロファイル生成装置１０の機能構成＞
次に、本実施形態に係るプロファイル生成装置１０の機能構成について、図７を参照しながら説明する。図７は、第一の実施形態に係るプロファイル生成装置１０の機能構成の一例を示す図である。
【００５５】
図７に示すように、本実施形態に係るプロファイル生成装置１０は、データ入力部１０１と、測色値取得部１０２と、目標値設定部１０３と、色予測部１０４と、アウトプットプロファイル生成部１０５と、データ出力部１０６とを有する。これら各部は、プロファイル生成装置１０にインストールされた１以上のプログラムがＣＰＵ１６に実行させる処理により実現される。
【００５６】
また、本実施形態に係るプロファイル生成装置１０は、ソースプロファイル記憶部１３０と、アウトプットプロファイル記憶部１４０とを有する。これら各部は、例えば、補助記憶装置１８を用いて実現可能である。なお、ソースプロファイル記憶部１３０及びアウトプットプロファイル記憶部１４０の少なくとも一方が、プロファイル生成装置１０とネットワークを介して接続される記憶装置等を用いて実現されていても良い。
【００５７】
データ入力部１０１は、入力となるＣＭＹＫデータを取得する。測色値取得部１０２は、所定の測色条件下で測色器２０が測色した測色値を取得する。
【００５８】
目標値設定部１０３は、カラーマッチングにおける目標値を設定する。ここで、目標値設定部１０３には、ターゲット情報取得部１１１と、用紙白情報取得部１１２と、白基準値設定部１１３と、第１目標値取得部１１４と、第２目標値取得部１１５と、最終目標値設定部１１６（目標値設定部の一例）とが含まれる。
【００５９】
ターゲット情報取得部１１１は、ソースプロファイル記憶部１３０に格納されているソースプロファイル１０００から、カラーマッチングにおけるターゲットを取得する。用紙白情報取得部１１２は、設計用紙の白色点を取得する。白基準値設定部１１３は、白色点を考慮した白基準点（すなわち、図４で説明した点Ｃ）を設定する。第１目標値取得部１１４は、第１目標値を取得する。第２目標値取得部１１５は、第２目標値を取得する。
【００６０】
最終目標値設定部１１６は、第１目標値及び第２目標値から最終目標値を生成及び設定する。ここで、最終目標値設定部１１６には、彩度算出部１２１と、補間部１２２とが含まれる。彩度算出部１２１は、第２目標値の彩度を算出する。補間部１２２は、第２目標値の彩度に応じて、有彩色域と無彩色近傍域との中間の色域における目標値を補間する。なお、最終目標値は、絶対的色値であるＬａｂデータである。
【００６１】
色予測部１０４は、画像出力装置３０で出力したカラー印刷物の色値を予測する。アウトプットプロファイル生成部１０５は、ソースプロファイル１０００を用いて相対色変換された相対的色値と、最終目標値であるＬａｂデータに対応する相対的色値とを対応付けることで、アウトプットプロファイル２０００を生成する。生成されたアウトプットプロファイル２０００は、アウトプットプロファイル記憶部１４０に格納される。
【００６２】
データ出力部１０６は、アウトプットプロファイル記憶部１４０に格納されたアウトプットプロファイル２０００を出力する。
【００６３】
＜アウトプットプロファイルの生成処理＞
次に、第一の実施形態に係るアウトプットプロファイルの生成処理について、図８を参照しながら説明する。図８は、第一の実施形態に係るプロファイルの生成処理の一例を示すフローチャートである。
【００６４】
ステップＳ１０１：データ入力部１０１は、入力となるＣＭＹＫデータを取得する。ＣＭＹＫデータは、ＣＭＹＫ色空間の格子点で表される。プロファイルはＬＵＴで構成されるため、データ入力部１０１は、例えば、８ビット、９スライス格子点のＣＭＹＫ値（Ｃ，Ｍ，Ｙ，Ｋ）＝（０，０，０，０），（０，０，０，３２），・・・，（０，０，０，２５５），（０，０，３２，０），・・・，（２５５，２５５，２５５，２５５）で構成されるＣＭＹＫデータを取得する。
【００６５】
ステップＳ１０２：次に、目標値設定部１０３は、データ入力部１０１により取得されたＣＭＹＫデータに対して目標値（最終目標値）を設定する。これらの最終目標値は、ＣＭＹＫデータに含まれる各ＣＭＹＫ値（相対的色値）にそれぞれ対応するＬａｂ値（絶対的色値）で構成されるＬａｂデータで表される。なお、目標値の設定処理の詳細については後述する。
【００６６】
ステップＳ１０３：次に、色予測部１０４は、Ｌａｂデータに対応するＣ´Ｍ´Ｙ´Ｋ´データを取得する。すなわち、アウトプットプロファイル生成部１０５は、Ｌａｂデータに含まれる各Ｌａｂ値をそれぞれＣ´Ｍ´Ｙ´Ｋ´値に変換して、Ｃ´Ｍ´Ｙ´Ｋ´データを取得する。言い換えれば、色予測部１０４は、絶対的色値（Ｌａｂ値）を相対的色値（Ｃ´Ｍ´Ｙ´Ｋ´値）に変換する。
【００６７】
ステップＳ１０４：次に、色予測部１０４は、ソースプロファイル記憶部１３０に格納されているソースプロファイル１０００に関する相対的色値を取得する。すなわち、色予測部１０４は、ソースプロファイル１０００により、データ入力部１０１が取得したＣＭＹＫデータを構成する各ＣＭＹＫ値を相対色変換して、相対的色値を取得する。
【００６８】
ステップＳ１０５：次に、アウトプットプロファイル生成部１０５は、上記のステップＳ１０４で取得された相対的色値毎に、この相対的色値と、この相対的色値の変換元のＣＭＹＫ値に対応するＣ´Ｍ´Ｙ´Ｋ´値（相対的色値）とを対応付けてアウトプットプロファイル２０００を生成する。そして、アウトプットプロファイル生成部１０５は、生成したアウトプットプロファイル２０００をアウトプットプロファイル記憶部１４０に格納する。
【００６９】
ステップＳ１０６：最後に、データ出力部１０６は、アウトプットプロファイル記憶部１４０に格納されたアウトプットプロファイル２０００を出力する。
【００７０】
以上により、本実施形態に係るプロファイル生成装置１０によりアウトプットプロファイル２０００が生成される。このとき、本実施形態に係るプロファイル生成装置１０は、後述する目標値設定により、蛍光特性の強い用紙でも無彩色近傍域で色かぶりが発生しないマッチング結果を実現するアウトプットプロファイル２０００（すなわち、主観と乖離なくターゲットを再現するアウトプットプロファイル２０００）を生成することができる。
【００７１】
＜目標値の設定処理＞
以降では、上記のステップＳ１０２の目標値の設定処理の詳細について、図９を参照しながら説明する。図９は、第一の実施形態に係る目標値の設定処理の一例を示すフローチャートである。
【００７２】
ステップＳ２０１：ターゲット情報取得部１１１は、ターゲットとして、データ入力部１０１が取得したＣＭＹＫデータに含まれるＣＭＹＫ値に対応する絶対的色値（Ｌａｂ値）を取得する。ターゲット情報取得部１１１は、例えば、ソースプロファイル１０００により、当該ＣＭＹＫ値を絶対色変換することで、当該ＣＭＹＫ値に対応する絶対的色値を取得すれば良い。なお、ターゲット情報取得部１１１は、例えば、ソースプロファイル１０００と共に絶対的色値が補助記憶装置１８等に記憶されている場合には、この絶対的色値を用いても良い。
【００７３】
ステップＳ２０２：用紙白情報取得部１１２は、設計用紙の白色点を取得する。すなわち、まず、ソースプロファイル１０００で規定されている測色条件の下で設計用紙を測色器２０が測色した測色値を測色値取得部１０２により取得する。そして、用紙白情報取得部１１２は、測色値取得部１０２が取得した測色値（絶対的色値であるＬａｂ値）を取得して、この測色値を白色点とする。これにより、ＣＭＹＫデータに含まれる各ＣＭＹＫ値に対して、設計用紙の白色点（例えば図４における点Ａ）の情報が得られる。なお、ソースプロファイル１０００で規定されている測色条件の下で測色した設計用紙の白色点は、予めソースプロファイル記憶部１３０に記憶されていても良い。
【００７４】
なお、Ｆｏｇｒａ５１の規格が設定されたソースプロファイル１０００である場合、測色光源としてＭ１を用いて設計用紙が測色される。
【００７５】
ステップＳ２０３：白基準値設定部１１３は、白色点を考慮した白基準点を設定する。なお、上記のステップＳ２０２で説明した方法で白色点が取得されるため、白色点を考慮するとは、設計用紙の蛍光特性を考慮することを意味する。
【００７６】
白基準点（例えば図４における点Ｃ）の座標（すなわち、白基準値）は、主観によって設定されても良いが、以下の方法１又は方法２によって設定しても良い。
【００７７】
（方法１）
方法１は、異なる測色条件下で測色した２つの情報を用いて白基準値を設定する方法である。
【００７８】
蛍光特性は、測色光源Ｍ２で測色した色値と、測色光源Ｍ１で測色した色値との差分で表すことができる。なお、測色光源Ｍ２は、紫外線が含まれない測色光源である。
【００７９】
図１０に示すように、測色光源Ｍ１で設計用紙を測色することで得た白色点を点Ａ（Ｍ１）、測色光源Ｍ２で同一の設計用紙を測色することで得た白色点を点Ａ（Ｍ２）とする。また、点Ａ（Ｍ１）の座標を（ＬＡ，ａＡ，ｂＡ）、白基準である点Ｃの座標（白基準値）を（ＬＣ，ａＣ，ｂＣ）、ａｂ座標面における原点から点Ａ（Ｍ１）までの距離をｌ１、原点から点Ａ（Ｍ２）までの距離をｌ２とする。更に、ｂ軸と、点Ａ（Ｍ１）と原点とを結ぶ線分との角度をθとすると、白基準値（ＬＣ，ａＣ，ｂＣ）は、以下の式４で表される。
【００８０】
Ｌｃ＝ＬＡ，ａｃ＝ａＡ＋Δａ，ｂｃ＝ｂＡ−Δｂ
・・・（式４）
ここで、Δａ＝（（ｌ１−ｌ２）／α）・ｓｉｎθ，Δｂ＝（（ｌ１−ｌ２）／α）・ｃｏｓθ，θ＝ｔａｎ−１（ａｂｓ（ａＡ）／ａｂｓ（ｂＡ））である。
【００８１】
なお、αはパラメータであり、ａｂｓ（・）は絶対値を表す。
【００８２】
すなわち、点Ｃは、原点と点Ａ（Ｍ１）とを結ぶ直線の延長線上、もしくは図１０中の色相近傍θ±Δηの青い色域方向に設定される。αとしては、設計用紙の種類や特性等に応じて任意の値を設定することができるが、例えば、８．０から１０．０の間に設定することが好ましい。蛍光特性は、距離ｌ１と距離ｌ２との差分の大きさとほぼ比例するため、蛍光特性の大きさに応じた補正量Δａ及びΔｂを設定することが可能である。また、Δηも設計用紙の種類や特性等に応じて設定することができるが、例えば３．０から５．０（ｄｅｇｒｅｅ）等が好ましい。
【００８３】
（方法２）
方法２は、測色光源Ｍ１で測色した設計用紙の白色点と、ターゲットの白色点からの距離とに応じて白基準値を設定する方法である。
【００８４】
図１１に示すように、測色光源Ｍ１で設計用紙を測色することで得た白色点を点Ａ（Ｍ１）、ターゲットの白色点を点Ｆとする。また、点Ａ（Ｍ１）の座標を（ＬＡ，ａＡ，ｂＡ）、白基準である点Ｃの座標（白基準値）を（ＬＣ，ａＣ，ｂＣ）、点Ｆの座標を（ＬＦ，ａＦ，ｂＦ）とすると、白基準値（ＬＣ，ａＣ，ｂＣ）は、以下の式５で表される。
【００８５】
Ｌｃ＝ＬＡ，ａｃ＝ａＡ＋Δａ，ｂｃ＝ｂＡ＋Δｂ
・・・（式５）
ここで、Δａ＝（ａＡ−ａＦ）／β，Δｂ＝（ｂＡ−ｂＦ）／βである。
【００８６】
なお、βはパラメータである。
【００８７】
すなわち、点Ｃは、点Ｆと点Ａ（Ｍ１）とを結ぶ直線の延長線上の青い色域方向に設定される。βとしては、設計用紙の種類や特性等に応じて任意の値を設定することができるが、例えば、３．０から４．０の間に設定することが好ましい。見た目が白い紙であれば、蛍光特性は、点Ｆと点Ａとの間の距離にほぼ比例するため、蛍光特性の大きさに応じた補正量Δａ及びΔｂを設定することが可能である。なお、方法２では、方法１と比べて、測色光源Ｍ２で測色する環境がない場合に特に有効である。
【００８８】
これにより、ＣＭＹＫデータに含まれる各ＣＭＹＫ値に対して、白基準点（例えば図４における点Ｃ）の値（白基準値）が得られる。
【００８９】
ステップＳ２０４：第１目標値取得部１１４は、第１目標値を取得する。すなわち、第１目標値取得部１１４は、データ入力部１０１が取得したＣＭＹＫデータに含まれるＣＭＹＫ値に対応する絶対的色値（すなわち、ターゲット）を上記の式２により第１目標値として取得する。なお、式２は、ＸＹＺ三刺激値であるため、絶対的色値（Ｌａｂ値）を公知の手法によってＸＹＺ三刺激値に変換すれば良い。ただし、第１目標値の設定にあたっては、絶対的色値をそのまま第１目標値とすれば良いため、ＸＹＺ三刺激値への変換を行わなくても良い。これにより、ＣＭＹＫデータに含まれる各ＣＭＹＫ値に対して、第１目標値（Ｘｏｕｔ１，Ｙｏｕｔ１，Ｚｏｕｔ１）が得られる。
【００９０】
ステップＳ２０５：第２目標値取得部１１５は、第１目標値に対応する第２目標値を取得する。すなわち、第２目標値取得部１１５は、上記のステップＳ２０３で設定した白基準値と、ソースプロファイル１０００が規定する白点の座標値とを用いて、上記の式３により第２目標値として取得する。なお、上記のステップＳ２０３で設定した白基準値は、絶対的色値（Ｌａｂ値）であるため、公知の手法によってＸＹＺ三刺激値に変換すれば良い。また、ソースプロファイル１０００が規定する白点の座標値は、ＸＹＺ三刺激値であればそのまま用いれば良く、Ｌａｂ値であれば公知の手法によってＸＹＺ三刺激値に変換すれば良い。これにより、ＣＭＹＫデータに含まれる各ＣＭＹＫ値に対して、第２目標値（Ｘｏｕｔ２，Ｙｏｕｔ２，Ｚｏｕｔ２）が得られる。
【００９１】
ステップＳ２０６：最終目標値設定部１１６は、第１目標値及び第２目標値から最終目標値を生成及び設定する。最終目標値は、無彩色近傍域と有彩色域との間の中間の色域では第１目標値及び第２目標値を用いた線形補間により最終目標値を生成し、無彩色近傍域及び有彩色域では最終目標値としてそれぞれ第１目標値及び第２目標値を採用することで最終目標値を生成する。
【００９２】
ここで、線形補間によって最終目標値を生成及び設定する場合について、図１２を参照しながら説明する。図１２は、線形補間による目標値の補間の一例を説明するための図である。
【００９３】
図１２に示すように、彩度がＣ１未満の領域では、最終目標値設定部１１６は、第２目標値を最終目標値する。また、彩度がＣ２以上の領域では、最終目標値設定部１１６は、第１目標値を最終目標値とする。他方で、彩度がＣ１以上かつＣ２未満の中間域では、最終目標値設定部１１６は、第１目標値と第２目標値との線形補間値（第３目標値）を最終目標値とする。
【００９４】
＜最終的な目標値の設定処理＞
以降では、上記のステップＳ２０６の最終目標値を設定する処理の詳細について、図１３を参照しながら説明する。図１３は、第一の実施形態に係る最終的な目標値の設定処理の一例を示すフローチャートである。なお、最終目標値を（Ｌｏｕｔ，ａｏｕｔ，ｂｏｕｔ）とする。
【００９５】
ステップＳ３０１：まず、最終目標値設定部１１６は、第２目標値と、この第２目標値に対応する第１目標値を取得する。なお、第２目標値に対応する第１目標値とは、第２目標値の算出に用いたＣＭＹＫ値と同一のＣＭＹＫにより算出された第１目標値のことである。
【００９６】
ステップＳ３０２：次に、最終目標値設定部１１６は、公知の手法によって第１目標値及び第２目標値をそれぞれＬａｂ値に変換する。以降では、Ｌａｂ値に変換された第１目標値を（Ｌｏｕｔ１，ａｏｕｔ１，ｂｏｕｔ１）、第２目標値を（Ｌｏｕｔ２，ａｏｕｔ２，ｂｏｕｔ２）と表す。
【００９７】
ステップＳ３０３：次に、最終目標値設定部１１６は、彩度算出部１２１により、第２目標値の彩度を算出する。第２目標値の彩度ｘは、以下の式６により算出することができる。
【００９８】
ｘ＝√（（ａｏｕｔ２）２＋（ｂｏｕｔ２）２）      ・・・（式６）
ステップＳ３０４：次に、最終目標値設定部１１６は、彩度ｘがＣ１未満であるか否かを判定する。
【００９９】
ステップＳ３０５：上記のステップＳ３０４で彩度ｘがＣ１未満であると判定された場合、最終目標値設定部１１６は、Ｌｏｕｔ＝Ｌｏｕｔ１＝Ｌｏｕｔ２，ａｏｕｔ＝ａｏｕｔ２，ｂｏｕｔ＝ｂｏｕｔ２とする。すなわち、最終目標値設定部１１６は、最終目標値として、第２目標値を設定する。
【０１００】
ステップＳ３０６：上記のステップＳ３０４で彩度ｘがＣ１未満でないと判定された場合、最終目標値設定部１１６は、彩度ｘがＣ２以上であるか否かを判定する。
【０１０１】
ステップＳ３０７：上記のステップＳ３０６で彩度Ｃ２以上であると判定された場合、最終目標値設定部１１６は、Ｌｏｕｔ＝Ｌｏｕｔ１＝Ｌｏｕｔ２，ａｏｕｔ＝ａｏｕｔ１，ｂｏｕｔ＝ｂｏｕｔ１とする。すなわち、最終目標値設定部１１６は、最終目標値として、第１目標値を設定する。
【０１０２】
ステップＳ３０８：上記のステップＳ３０６で彩度ｘがＣ２以上でないと判定された場合、最終目標値設定部１１６は、補間部１２２により、Ｌｏｕｔ＝Ｌｏｕｔ１＝Ｌｏｕｔ２，ａｏｕｔ＝Ｒ・ａｏｕｔ１＋（Ｒ−１）・ａｏｕｔ２，ｂｏｕｔ＝Ｒ・ｂｏｕｔ１＋（Ｒ−１）・ｂｏｕｔ２とする。すなわち、最終目標値設定部１１６は、補間部１２２により、第１目標値と第２目標値とを線形補間して最終目標値を生成及設定する。
【０１０３】
上記のＲは、Ｒ＝（１／（Ｃ１−Ｃ２））ｘ−（Ｃ１・（Ｃ１−Ｃ２））である。すなわち、Ｒは、線形補間の比率であり、図１４に示すようなグラフで表される。
【０１０４】
ここで、彩度Ｃ１及びＣ２の設定例について以下の（１）及び（２）で説明する。
【０１０５】
（１）彩度Ｃ１
彩度Ｃ１は無彩色域の境界付近に設定される。具体的には、ソースプロファイル１０００が規定するグレー色域の境界に設定する。
【０１０６】
例えば、まず、最終目標値設定部１１６は、（Ｃ，Ｍ，Ｙ，Ｋ）＝（１６．１６，１６，０），（３２．３２，３２，０），（４８．４８，４８，０），・・・，（Ｎ．Ｎ，Ｎ，０）の各ＣＭＹＫ値により構成されるＣＭＹＫデータを取得する。なお、Ｎは任意に決定して良いが、例えば、Ｎ＝１２８程度が好ましい。
【０１０７】
次に、最終目標値設定部１１６は、ソースプロファイル１０００を用いて、これらのＣＭＹＫ値を絶対色変換して、絶対的色値であるＬａｂ値を得る。これらのＬａｂ値を（Ｌｃ１６，ａｃ１６，ｂｃ１６），（Ｌｃ３２，ａｃ３２，ｂｃ３２），（Ｌｃ４８，ａｃ４８，ｂｃ４８），・・・，（ＬｃＮ，ａｃＮ，ｂｃＮ）とする。次に、最終目標値設定部１１６は、これらのＬａｂ値の彩度Ｃｃ１６，Ｃｃ３２，Ｃｃ４８，・・・，ＣｃＮを以下の式７により得る。なお、Ｍ＝ｃ１６，ｃ３２，ｃ４８，・・・ｃＮである。
【０１０８】
ＣＭ＝√（（ａＭ）２＋（ｂＭ）２）      ・・・（式７）
そして、最終目標値設定部１１６は、これらの彩度Ｃｃ１６，Ｃｃ３２，Ｃｃ４８，・・・，ＣｃＮをのうちの最大値をＣ１とする。
【０１０９】
（２）彩度Ｃ２
彩度Ｃ２は有彩色域の境界に設定しても良いが、一例として、ターゲットとの色差を考慮して設定する場合を説明する。
【０１１０】
一般的に、アウトプットプロファイル２０００の設計品質は、ターゲットとの色差で判断される。つまり、図１２等に示す最終目標値（目標値）がターゲットに近い方が、その目標値を用いて設計したアウトプットプロファイル２０００とターゲットとの色差も小さくなり品質が向上する。しかし、或る最終目標値とターゲットとの色差が、所望の設計目標以上であった場合であっても、無彩色近傍域（すなわち、彩度Ｃ１以下の領域）の最終目標値は、第２目標値から変更することはできない。よって、設定されているＣ２をより低い値に再設定し、最終目標値がターゲットと一致する色範囲を増やす必要がある。なお、設計による色差が上乗せされることを考慮すると、最終目標値とターゲットとの色差は設計目標の半分程度が好ましい。
【０１１１】
ステップＳ３０９：最終目標値設定部１１６は、全ての第２目標値（及び、この第２目標値に対応する第１目標値）を取得したか否かを判定する。取得されていない第２目標値が存在する場合、最終目標値設定部１１６は、ステップＳ３０１に戻る。一方で、全ての第２目標値が取得された場合、最終目標値設定部１１６は、処理を終了する。これにより、最終目標値が設定される。ここで、一例として、１２個の色相上における第１目標値（ターゲット）、第２目標値、及び最終目標値を図１５に示す。
【０１１２】
以上により、本実施形態に係るプロファイル生成装置１０は、蛍光特性の強い用紙でも無彩色近傍域で色かぶりが発生しないマッチング結果が得られる目標値（最終目標値）を設定することができる。これにより、本実施形態に係るプロファイル生成装置１０は、当該マッチング結果を実現するアウトプットプロファイル２０００を生成することができる。
【０１１３】
［第二の実施形態］
次に、本発明の第二の実施形態について説明する。第二の実施形態では、蛍光特性が特に強い用紙の場合について説明する。蛍光特性が特に強い用紙である場合、第一の実施形態で説明した図９のステップＳ２０３（白基準値の設定）やステップＳ２０４（第１目標値）、ステップＳ２０６（最終的な目標値の設定）を変更することで、蛍光特性が特に強い印刷用紙でも、無彩色近傍域における色かぶりが発生しない目標値を設定することができるようになる。
【０１１４】
なお、第二の実施形態では、主に、第一の実施形態との相違点について説明し、第一の実施形態と同様の構成要素については、その説明を省略する。
【０１１５】
＜目標値の設定処理＞
以降では、第二の実施形態に係る目標値の設定処理の詳細について、図１６を参照しながら説明する。図１６は、第二の実施形態に係る目標値の設定処理の一例を示すフローチャートである。なお、図１６のステップＳ２０１〜ステップＳ２０２、ステップＳ２０４〜ステップＳ２０５は、図９と同様であるため、その説明を省略する。
【０１１６】
ステップＳ４０１：白基準値設定部１１３は、白色点を考慮した白基準点を設定する。ここで、設計用紙の蛍光特性が強い場合、第一の実施形態のように、白基準点の値（白基準値）を数値的に決定するよりも、主観で決定する方が良い場合がある。蛍光特性が強い用紙ほど見た目と測色値との乖離度が大きいためである。
【０１１７】
そこで、例えば、上記の式５で互いにβを異ならせた複数の白基準値を準備し、それぞれの白基準値を用いて得た目標値（最終目標値）に対してマッチングを行い、マッチング結果から高評価のものを選出する。そして、選出したマッチング結果に対応する白基準値を白基準値として採用し、白基準値設定部１１３は、この採用した白基準値を設定する。なお、高評価なマッチング結果とは、無彩色域近傍にて色かぶりが発生しない（又は、最も色かぶりが少ない）マッチング結果のことである。
【０１１８】
ステップＳ４０２：最終目標値設定部１１６は、第１目標値及び第２目標値から最終目標値を生成及び設定する。ここで、設計用紙の蛍光特性が強い場合、ハイライト域や無彩色域近傍のみならず、有彩色域においても見た目と測色値との乖離が発生することがある。すなわち、有彩色域においても測色光源Ｍ１を用いた場合の測色値が、見た目の感覚（主観）よりも青い値となる場合がある。このような場合、有彩色域において、ターゲット（第１目標値）を最終目標値としてマッチングを行うと、有彩色域でも黄色っぽい色味となってしまう。このため、第二の実施形態では、有彩色域における最終目標値を、第１目標値よりも青よりになるように設定する。
【０１１９】
＜最終的な目標値の設定処理＞
以降では、上記のステップＳ４０２の最終目標値を設定する処理の詳細について、図１７を参照しながら説明する。図１７は、第二の実施形態に係る最終的な目標値の設定処理の一例を示すフローチャートである。図１７のステップＳ３０１〜ステップＳ３０６及びステップＳ３０９は、図１３と同様であるため、その説明を省略する。
【０１２０】
ステップＳ５０１：ステップＳ３０６で彩度Ｃ２以上であると判定された場合、最終目標値設定部１１６は、Ｌｏｕｔ＝Ｌｏｕｔ１＝Ｌｏｕｔ２，ａｏｕｔ＝ｒ・ａｏｕｔ１＋（ｒ−１）・ａｏｕｔ２，ｂｏｕｔ＝ｒ・ｂｏｕｔ１＋（ｒ−１）・ｂｏｕｔ２とする。ここで、ｒ＝０．０以上１．０未満に設定する。蛍光特性の強い用紙ほどｒを小さく設定する。すなわち、最終目標値設定部１１６は、有彩色域における最終目標値として、第１目標値よりも青よりの値を設定する。有彩色域において、第１目標値よりも青よりの値に最終目標値を設定した場合の図１８に示す。図１８に示すように、有彩色域では、第１目標値よりも青よりの位置に最終目標値が設定される。
【０１２１】
ステップＳ５０２：ステップＳ３０６で彩度ｘがＣ２以上でないと判定された場合、最終目標値設定部１１６は、補間部１２２により、第１目標値と第２目標値とを線形補間して最終目標値を生成及設定する。ここで、上記のステップＳ５０１のように、有彩色域における最終目標値を変更した場合、線形補間の比率Ｒも変更する。
【０１２２】
具体的には、最終目標値設定部１１６は、補間部１２２により、Ｒ＝ｒ・（（１／（Ｃ１−Ｃ２））ｘ−（Ｃ１・（Ｃ１−Ｃ２）））として、Ｌｏｕｔ＝Ｌｏｕｔ１＝Ｌｏｕｔ２，ａｏｕｔ＝Ｒ・ａｏｕｔ１＋（Ｒ−１）・ａｏｕｔ２，ｂｏｕｔ＝Ｒ・ｂｏｕｔ１＋（Ｒ−１）・ｂｏｕｔ２とする。
【０１２３】
以上により、設計用紙の蛍光特性が特に強い場合における最終目標値が設定される。ここで、上記のステップＳ５０２では、有彩色域における最終目標値の変更に応じてＲを変更したが、ターゲットに対して理論的な色差が生ずる場合がある。色精度を数値的に評価したり、認証を取得したりする場合は理論的な色差は小さい方が好ましい。このため、上記のステップＳ５０２で、Ｒとして、例えば、
【０１２４】
【数１】
2019146167.tif 000003
を用いて、補間部１２２により、対数関数補間を行っても良い。このＲは対数関数補間の比率であり、図１９に示すようなグラフで表される。図２０に示すように、線形補間を用いた場合と比較して、対数関数補間を用いることで高彩度域になるにつれ、第１目標値に早い段階で収束できていることがわかる。このため、対数関数補間を用いることで、ターゲットに対する理論的な色差を線形補間と比較して小さくすることができる。この場合、最終目標値設定部１１６は、彩度がＣ１以上かつＣ２未満の中間域において、対数関数補間を行うことで得られた補間値を第３目標値として設定する。
【０１２５】
以上により、本実施形態に係るプロファイル生成装置１０は、蛍光特性が特に強い用紙でも無彩色近傍域で色かぶりが発生しないマッチング結果が得られる目標値（最終目標値）を設定することができる。
【０１２６】
本発明は、具体的に開示された上記の各実施形態に限定されるものではなく、特許請求の範囲から逸脱することなく、種々の変形や変更が可能である。
【符号の説明】
【０１２７】
１        プロファイル生成システム
１０      プロファイル生成装置
２０      測色器
３０      画像出力装置
１０１    データ入力部
１０２    測色値取得部
１０３    目標値設定部
１０４    色予測部
１０５    アウトプットプロファイル生成部
１１１    ターゲット情報取得部
１１２    用紙白情報取得部
１１３    白基準値設定部
１１４    第１目標値取得部
１１５    第２目標値取得部
１１６    最終目標値設定部
１２１    彩度算出部
１２２    補間部
１３０    ソースプロファイル記憶部
１４０    アウトプットプロファイル記憶部
１０００  ソースプロファイル
２０００  アウトプットプロファイル
【先行技術文献】
【特許文献】
【０１２８】
【特許文献１】特許第４５４１７７２号公報
【図１】
2019146167.tif 000004
【図２】
2019146167.tif 000005
【図３】
2019146167.tif 000006
【図４】
2019146167.tif 000007
【図５】
2019146167.tif 000008
【図６】
2019146167.tif 000009
【図７】
2019146167.tif 000010
【図８】
2019146167.tif 000011
【図９】
2019146167.tif 000012
【図１０】
2019146167.tif 000013
【図１１】
2019146167.tif 000014
【図１２】
2019146167.tif 000015
【図１３】
2019146167.tif 000016
【図１４】
2019146167.tif 000017
【図１５】
2019146167.tif 000018
【図１６】
2019146167.tif 000019
【図１７】
2019146167.tif 000020
【図１８】
2019146167.tif 000021
【図１９】
2019146167.tif 000022
【図２０】
2019146167.tif 000023